(57)【要約】【課題】複数の子側歌唱者の中から特定の子側歌唱者を選択して通信デュエット歌唱を行えるようにする。【解決手段】  親側のＶＩＰルームと子側の一般カラオケルームとを伝送路によって通信可能に接続し、通信デュエットを行わせる。親側マイクで生成された親側マイク信号を、複数の子側カラオケ装置に送信する親側信号送信手段（親側カラオケ装置２Ａ）と、受信した前記親側マイク信号に基づく親側マイク音を、各一般カラオケルームで再生させる子側再生手段（子側カラオケ装置２Ｂ〜２Ｄ）と、各カラオケルームの子側マイクで生成された複数の子側マイク信号を、ＶＩＰルームに向けて送信する子側信号送信手段（子側カラオケ装置２Ｂ〜２Ｄ）と、受信した複数の子側マイク信号から切り替え可能に１つを選択し、ＶＩＰルームで再生させる親側再生手段（親側カラオケ装置２Ａ）とを有する。【選択図】図１１
2015011155.tif 000002
【特許請求の範囲】
【請求項１】
親側拠点と複数の子側拠点とを伝送路によって通信可能に接続し、前記親側拠点と複数の前記子側拠点との間で通信デュエットを行わせる通信カラオケシステムであって、
前記親側拠点の親側マイクで生成された親側マイク信号を、複数の前記子側拠点に送信する親側信号送信手段と、
受信した前記親側マイク信号に基づく親側マイク音を、複数の前記子側拠点のそれぞれで再生させる子側再生手段と、
複数の前記子側拠点の子側マイクで生成された複数の子側マイク信号を、前記親側拠点に送信する子側信号送信手段と、
受信した複数の前記子側マイク信号の中から切り替え可能に１つを選択し、前記親側拠点で再生させる親側再生手段とを有することを特徴とする通信カラオケシステム。
【請求項２】
前記親側信号送信手段は、前記親側拠点でのカラオケ演奏のために生成された演奏音信号と前記親側マイク信号とを複数の前記子側拠点に送信し、
前記子側再生手段は、受信した前記演奏音信号に基づくカラオケ演奏音を、前記親側マイク音と共に再生させることを特徴とする請求項１に記載の通信カラオケシステム。
【請求項３】
前記親側再生手段は、受信した複数の前記子側マイク信号のうち、選択された１つの子側マイク信号以外の子側マイク信号を、該選択された１つの子側マイク信号よりも十分小さな音量で再生させることを特徴とする請求項１又は２に記載の通信カラオケシステム。
【請求項４】
前記子側拠点でなされた歌唱の巧拙を、１つのカラオケ楽曲を構成する複数の区間毎に採点する子側採点手段と、
或る区間の採点が終了する毎に、当該区間の採点結果を前記親側拠点へ送信する子側採点結果送信手段とを有し、
前記親側再生手段は、受信した前記採点結果に基づいて複数の前記子側マイク信号を選択することを特徴とする請求項１から３の何れか１項に記載の通信カラオケシステム。
【請求項５】
選択された前記子側マイク信号に対応する前記子側拠点に対し、選択中であることを示す選択中信号を送信する選択中信号送信手段と、
受信した前記選択中信号に基づき、選択中であることを前記子側拠点で報知する子側報知手段とを有することを特徴とする請求項１から４の何れか１項に記載の通信カラオケシステム。
【請求項６】
前記親側拠点で取得された親側動画データに対し、複数の前記子側拠点のそれぞれで取得された複数の子側動画データを選択して合成することで、デュエット動画データを生成する動画データ生成手段を有することを特徴とする請求項１から５の何れか１項に記載の通信カラオケシステム。
【請求項７】
前記動画データ生成手段は、複数の前記子側動画データに基づき、前記子側拠点でなされた歌唱の巧拙を１つのカラオケ楽曲を構成する複数の区間毎に採点し、区間毎の採点結果に応じて、前記子側動画データを前記区間毎に選択して合成することを特徴とする請求項６に記載の通信カラオケシステム。
【発明の詳細な説明】
【技術分野】
【０００１】
本発明は、拠点間を伝送路によって通信可能に接続し、各拠点の間で通信デュエットを行わせる通信カラオケシステムに関し、特に親側拠点と複数の子側拠点との間で複数人による通信デュエットを行わせるものに関する。
【背景技術】
【０００２】
拠点間を伝送路によって通信可能に接続し、各拠点の間で演奏音や歌唱音を共有するシステムが知られている。例えば、特許文献１には、双方向ブロードバンド方式の伝送路（通信網）に複数の音楽演奏通信装置を接続することで、演奏音や歌唱音を拠点間で共有する通信演奏システムが記載されている。この通信演奏システムでは、時刻情報を含んだ時刻設定確認信号を遠隔地の音楽演奏通信装置に送信することで、遠隔地間の演奏開始時刻を同時刻に合わせ、設定された演奏開始時刻に演奏を開始させている。
【０００３】
また、特許文献２には、遠隔地に存在する複数のカラオケルーム同士を、サーバーや伝送路（通信回線）を通じて接続し、遠隔地で合同カラオケやカラオケコンテストを行わせる通信カラオケシステムが記載されている。
【０００４】
これらのシステムでは、複数の拠点間を伝送路によって通信可能に接続し、各拠点の間で演奏音や歌唱音を共有している。そして、各拠点は同等であることから、それぞれの拠点において、他の拠点の演奏や歌唱が優劣なく一斉に放音される。
【先行技術文献】
【特許文献】
【０００５】
【特許文献１】特開２００５−７７４８５号公報
【特許文献２】特開２００５−９９６５０号公報
【発明の概要】
【発明が解決しようとする課題】
【０００６】
それぞれの拠点において、他の拠点の演奏音や歌唱音が一斉に放音されると、拠点毎の伝送遅延の違いや歌唱者毎の歌い方の違い等によって、ずれた状態で音が混ざり、歌唱がし難く興趣が損なわれてしまうおそれがある。特に、或る拠点で歌唱するアーティストに対し、複数の拠点で一般ユーザーに通信デュエットを行わせる場合、アーティスト側の拠点では、一般ユーザーからの歌唱音がずれた状態で混ざると、非常に歌い難くなってしまう。一方で、一般ユーザーは、このアーティストとデュエットを行えればよく、他の一般ユーザーとのデュエットを望んでいない。
【０００７】
本発明は、このような事情に鑑みてなされたものであり、その目的は、複数拠点の間で通信デュエットを行う場合にデュエット歌唱をし易くすること、複数の歌唱者の中から特定の歌唱者を選択してデュエット歌唱を行えるようにすることにある。
【課題を解決するための手段】
【０００８】
前記目的を達成するため、本発明は、親側拠点と複数の子側拠点とを伝送路によって通信可能に接続し、前記親側拠点と複数の前記子側拠点との間で通信デュエットを行わせる通信カラオケシステムであって、前記親側拠点の親側マイクで生成された親側マイク信号を、複数の前記子側拠点に送信する親側信号送信手段と、受信した前記親側マイク信号に基づく親側マイク音を、複数の前記子側拠点のそれぞれで再生させる子側再生手段と、複数の前記子側拠点の子側マイクで生成された複数の子側マイク信号を、前記親側拠点に送信する子側信号送信手段と、受信した複数の前記子側マイク信号の中から切り替え可能に１つを選択し、前記親側拠点で再生させる親側再生手段とを有することを特徴とする。
【０００９】
本発明によれば、各子側拠点では、子側再生手段によって親側拠点の歌唱音（マイク音）が再生され、他の子側拠点からの歌唱音は再生されないので、親側拠点の歌唱者とのデュエット歌唱がし易くなるし、デュエット歌唱を気分良く行うことができる。また、親側拠点では、親側再生手段によって、複数の子側歌唱音（子側マイク信号）の中から切り替え可能に１つが選択されて再生される。例えば、選択された子側歌唱音のみが再生されたり、残りの子側歌唱音に比べて相対的に大きな音量で再生されたりする。これにより、選択された子側歌唱音が聞き取り易くなり、デュエット歌唱が容易に行えるようになる。
【００１０】
前述の通信カラオケシステムにおいて、前記親側信号送信手段は、前記親側拠点でのカラオケ演奏のために生成された演奏音信号と前記親側マイク信号とを複数の前記子側拠点に送信し、前記子側再生手段は、受信した前記演奏音信号に基づくカラオケ演奏音を、前記親側マイク音と共に再生させることが好ましい。この構成では、親側拠点で生成された演奏音信号と親側マイク信号が子側拠点に送信されて再生されるので、子側拠点では、時間軸の揃った親側拠点でのカラオケ演奏音及び親側歌唱音にあわせて、デュエット歌唱を行うことができる。
【００１１】
前述の通信カラオケシステムにおいて、前記親側再生手段は、受信した複数の前記子側マイク信号のうち、選択された１つの子側マイク信号以外の子側マイク信号を、該選択された１つの子側マイク信号よりも十分小さな音量で再生させることが好ましい。この構成では、親側拠点において、選択された子側拠点の歌唱音以外の歌唱音が、選択された子側拠点の歌唱音よりも十分小さな音量で再生されるので、親側拠点の歌唱者は、選択された子側拠点の歌唱音が聞き取り易くなり、デュエット歌唱が容易に行える。さらに、相対的に小さな音量ではあるが他の子側拠点の歌唱音も再生されるので、他の子側拠点とも合唱できるし、立体感のある斉唱を行うこともできる。
【００１２】
前述の通信カラオケシステムにおいて、前記子側拠点でなされた歌唱の巧拙を、１つのカラオケ楽曲を構成する複数の区間毎に採点する子側採点手段と、或る区間の採点が終了する毎に、当該区間の採点結果を前記親側拠点へ送信する子側採点結果送信手段とを有し、前記親側再生手段は、受信した前記採点結果に基づいて複数の前記子側マイク信号を選択することが好ましい。この構成では、子側拠点でなされた歌唱の巧拙に基づき、親側拠点で再生されるか否かが決まるので、上手く歌おうというインセンティブを子側拠点の歌唱者に対して与えることができる。
【００１３】
前述の通信カラオケシステムにおいて、選択された前記子側マイク信号に対応する前記子側拠点に対し、選択中であることを示す選択中信号を送信する選択中信号送信手段と、受信した前記選択中信号に基づき、選択中であることを前記子側拠点で報知する子側報知手段とを有することが好ましい。この構成では、子側拠点の歌唱者に対し、親側拠点で選択されていることが報知されるので、上手く歌おうというインセンティブをより強く与えることができる。
【００１４】
前述の通信カラオケシステムにおいて、前記親側拠点で取得された親側動画データに対し、複数の前記子側拠点のそれぞれで取得された複数の子側動画データを選択して合成することで、デュエット動画データを生成する動画データ生成手段を有することが好ましい。この構成では、親側拠点の歌唱映像や歌唱音声に対して、子側拠点の歌唱映像や歌唱音声を切り替えたデュエット動画データが生成されるので、興趣を高めたデュエット動画データを生成できる。
【００１５】
前述の通信カラオケシステムにおいて、前記動画データ生成手段は、複数の前記子側動画データに基づき、前記子側拠点でなされた歌唱の巧拙を１つのカラオケ楽曲を構成する複数の区間毎に採点し、区間毎の採点結果に応じて、前記子側動画データを前記区間毎に選択して合成することが好ましい。この構成では、デュエット動画データの生成に際し、各子側拠点の歌唱者に歌唱力向上のインセンティブを与えることができる。
【発明の効果】
【００１６】
本発明に係る通信カラオケシステムによれば、複数拠点の間でデュエット歌唱をし易くすることができる。また、複数の歌唱者の中から特定の歌唱者を選択してデュエット歌唱を行うことができる。
【図面の簡単な説明】
【００１７】
【図１】通信カラオケシステムにおける概略構成を説明する概念図である。
【図２】ホスト装置の構成を説明するブロック図である。
【図３】カラオケ装置の構成を説明するブロック図である。
【図４】親側カラオケ装置の第１通信端末と子側カラオケ装置の第１通信端末を説明する図である。
【図５】親側カラオケ装置の第２通信端末と子側カラオケ装置の第２通信端末を説明する図である。
【図６】カラオケ本体の構成を説明するブロック図である。
【図７】通信デュエットを行う４台のカラオケ装置及び１台のホスト装置が、伝送路を通じて接続された状態を説明する図である。
【図８】親側カラオケ装置と子側カラオケ装置の接続状態を説明するブロック図である。
【図９】図８の組み合わせにおける各種信号の流れを説明する図である。
【図１０】通信デュエット実行時の処理を説明するフローチャートである。
【図１１】子側カラオケ装置の選択時における各種信号の流れを説明する図である。
【図１２】区間採点結果と選択処理を説明する図である。
【図１３】通信デュエット実行時のモニタ映像を説明する図である。
【発明を実施するための形態】
【００１８】
以下、本発明の実施形態について説明する。図１に示す通信カラオケシステムは、ホスト装置１とカラオケ装置２と有しており、これらの装置１，２が伝送路４を通じて通信可能に接続されている。カラオケ装置２は、例えばカラオケ店ＫＢの各カラオケルームＲＭに設置されている。また、パーソナルコンピュータ３Ａ、タブレットコンピュータ３Ｂ、及び、携帯電話機３Ｃ等のユーザー端末３が、伝送路４を通じてホスト装置１へ通信可能に構成されている。
【００１９】
このシステムでは、各カラオケルームＲＭが拠点に相当し、伝送路４を通じたデュエット歌唱（以下、通信デュエットという）を行う場合、各カラオケルームＲＭ（カラオケ装置２）が伝送路４を介して相互に接続される。
【００２０】
詳細は後述するが、図７に示すように、このシステムでは、カラオケルームＲＭにおけるスーパーＶＩＰルーム（親側拠点）に設置されたカラオケ装置を親側カラオケ装置２Ａに定め、一般カラオケルーム（子側拠点）に設置されたカラオケ装置を子側カラオケ装置２Ｂ〜２Ｄに定めている。そして、通信デュエットの実行時には、１台の親側カラオケ装置２Ａに対して複数台の子側カラオケ装置２Ｂ〜２Ｄが接続される。これにより、例えば、スーパーＶＩＰルームのアーティストと、一般カラオケルームの複数の一般ユーザーとの間で、１対ｎの通信デュエットを行わせる。
【００２１】
以下、各装置について説明する。まず、ホスト装置１について説明する。図１に示すように、このホスト装置１は、サーバーとして機能し、顧客情報などの各種情報を各カラオケ装置２から受信し、蓄積して管理する。図２に示すように、ホスト装置１は、ホスト側制御部１１と、ホスト側通信部１２と、ホスト側記憶部１３とを有している。
【００２２】
ホスト側制御部１１は、ホスト装置１における制御の中心となる部分であり、ＣＰＵ１１ａやメモリ１１ｂを有している。ＣＰＵ１１ａは、メモリ１１ｂに記憶された動作プログラムに従って各種の制御を実行する。メモリ１１ｂは、ＣＰＵ１１ａに実行されるプログラムを記憶したり、プログラムの実行時に各種情報を一時的に記憶したりする記憶素子である。ホスト側通信部１２は、ホスト装置１を伝送路４に接続するためのインタフェースを提供する。
【００２３】
ホスト側記憶部１３は、大容量の情報を記憶する記憶装置であり、ハードディスクドライブ等によって構成されている。ホスト側記憶部１３の一部領域は、利用者（歌唱者）の個人情報や履歴データが記憶される顧客情報記憶領域として用いられている。この顧客情報記憶領域には、個人情報、来店履歴、歌唱履歴等を示すデータが利用者ＩＤに対応付けられた状態で記憶される。
【００２４】
また、ホスト側記憶部１３における別の領域は、デュエットＧｒＩＤ記憶領域として用いられている。デュエットＧｒＩＤとは、通信デュエットを行う１グループのカラオケ装置２群を示す識別情報である。先に述べたように、図７の例では、１台の親側カラオケ装置２Ａと複数台の子側カラオケ装置２Ｂ〜２Ｄとの間で通信デュエットが行われる。このため、１グループのカラオケ装置２Ａ〜２Ｄに対して共通のデュエットＧｒＩＤが設定される。
【００２５】
従って、図２に示すデュエットＧｒＩＤ記憶領域には、デュエットＧｒＩＤに対応付けられた状態で、各カラオケ装置２Ａ〜２Ｄを識別するための装置ＩＤが記憶される。ホスト装置１は、このデュエットＧｒＩＤに基づいて、同じグループに属する複数台のカラオケ装置２Ａ〜２Ｄを認識する。
【００２６】
また、図２に示すように、ホスト側記憶部１３におけるさらに別の領域は、歌唱音声データ記憶領域、歌唱映像データ記憶領域、採点データ記憶領域、及び、閲覧用動画データ記憶領域として用いられている。
【００２７】
歌唱音声データ記憶領域は、カラオケ装置２から送信された歌唱音声データが記憶される領域であり、歌唱映像データ記憶領域は、カラオケ装置２から送信された歌唱映像データが記憶される領域である。採点データ記憶領域は、各カラオケルームＲＭ（拠点）でなされた歌唱の巧拙を示す採点データが記憶される領域である。本実施形態では、１つのカラオケ楽曲を構成する複数の区間毎に採点が行われ、区間毎の採点データが記憶される。なお、採点データを生成する採点処理は、各カラオケ装置２（親側採点手段，子側採点手段）において、カラオケ歌唱の最中に行われる。このため、採点データは、歌唱音声データや歌唱映像データとともに、ホスト装置１へ送信される。
【００２８】
閲覧用動画データ記憶領域は、閲覧用動画データが記憶される領域である。この閲覧用動画データは、ユーザー端末３（３Ａ〜３Ｃ）で閲覧される閲覧用動画の基となるデータであり、歌唱音声データ、歌唱映像データ、及び、採点データに基づき、ホスト装置１で生成される（後述する）。
【００２９】
次に、カラオケ装置２について説明する。カラオケ装置２は、カラオケ演奏や歌唱採点を行うものであり、例えば図３に示すように、カラオケ本体２１と、スピーカ２２と、モニタ２３と、歌唱マイク２４と、マイク付カメラ２５と、リモコン装置２６と、第１通信端末２７と、第２通信端末２８と、パワーアンプ２９とを有している。
【００３０】
カラオケ本体２１は、選択されたカラオケ楽曲の演奏制御、歌詞及び背景映像の表示制御、歌唱マイク２４で生成された歌唱音声信号の処理といった、カラオケ歌唱に関する各種の制御を行う部分である。このカラオケ本体２１については、後で詳しく説明する。
【００３１】
スピーカ２２は、パワーアンプ２９及び第１通信端末２７を介してカラオケ本体２１に接続されており、パワーアンプ２９で増幅された放音信号に基づいて放音する。例えば、個々のカラオケルームＲＭで行われる通常のカラオケ歌唱では、歌唱マイク２４で生成されたマイク信号とカラオケ本体２１で生成された演奏音信号の混合音信号が、第１通信端末２７を通じてパワーアンプ２９に入力される。このため、スピーカ２２からは、各カラオケルームＲＭで歌唱する歌唱者の歌唱音とカラオケ演奏音とが放音される。なお、通常のカラオケ歌唱において、混合音信号を第１通信端末２７を経ずに直接パワーアンプ２９に入力してもよい。
【００３２】
また、複数のカラオケルームＲＭを伝送路４で通信可能に接続して行われる通信デュエットでは、親側カラオケ装置２Ａの歌唱マイク２４で生成された親側マイク信号と、子側カラオケ装置２Ｂ〜２Ｄの歌唱マイク２４で生成された子側マイク信号と、演奏音信号が第１通信端末２７を通じてパワーアンプ２９に入力される。これにより、スピーカ２２からは、親側歌唱音、子側歌唱音、及びカラオケ演奏音が放音される。なお、通信デュエットにおける各信号の流れについては後で説明する。
【００３３】
モニタ２３は、カラオケ本体２１に接続されており、カラオケ本体２１からの映像信号に基づいて、歌唱対象のカラオケ楽曲における歌詞や背景映像等を表示させる。また、通信デュエットでは、自室側映像や相手側映像を歌詞テロップとともに表示させる。歌唱マイク２４もカラオケ本体２１に接続されており、歌唱者の音声等を歌唱信号に変換してカラオケ本体２１に入力させる。
【００３４】
マイク付カメラ２５は、自室内を撮影することで映像信号を生成する。生成された映像信号は第２通信端末２８に入力され、カラオケ本体２１に出力されたり、伝送路４を介して相手側へ送信されたりする。なお、この通信カラオケシステムでは、マイク付カメラ２５が備えるマイクは無効化されており、映像信号のみが取り扱いの対象になっている。
【００３５】
リモコン装置２６は、カラオケ本体２１との間で情報を送受信するための双方向通信可能な短距離無線通信部を備えており、カラオケ楽曲の予約時などに操作される。カラオケ楽曲の予約時において、リモコン装置２６からは、演奏対象の楽曲を識別するための楽曲ＩＤを含んだ操作信号が送信される。
【００３６】
また、本実施形態のリモコン装置２６は、通信デュエットにおける開始信号を送信する開始信号送信手段としても機能する。通信デュエットを行うに際し、親側カラオケ装置２Ａが有するリモコン装置２６からの開始信号が、親側のカラオケ本体２１と子側のカラオケ本体２１のそれぞれに送信される。この場合において、親側のカラオケ本体２１に対しては開始信号が直接入力され、子側のカラオケ本体２１に対しては開始信号が近隣のルーター装置及び伝送路４（汎用伝送路４）を介して送信される。
【００３７】
第１通信端末２７は、カラオケ本体２１とパワーアンプ２９との間に介在し、音に関する各種信号を取り扱う。例えば、通常のカラオケ歌唱において、第１通信端末２７は、カラオケ本体２１から直接入力される歌唱信号及び演奏音信号を混合した混合音信号の音量を調整し、パワーアンプ２９に出力する。また、通信デュエット歌唱において、第１通信端末２７は、伝送路４を通じて入力された信号（相手側歌唱信号）と、自室側でのカラオケ歌唱で生成された混合音信号との入力バランスを調整し、パワーアンプ２９に出力する。なお、第１通信端末２７の動作は、カラオケ本体２１からの制御信号によって制御される。
【００３８】
第２通信端末２８は、カラオケ本体２１とマイク付カメラ２５との間に介在し、映像に関する各種信号を取り扱うものであり、本実施形態ではセットトップボックスによって構成されている。通信デュエット歌唱において、第２通信端末２８は、マイク付カメラ２５で生成された自室側の映像信号、及び、伝送路４を通じて入力された相手側の映像信号を、カラオケ本体２１に出力する。カラオケ本体２１は、第２通信端末２８から入力された映像信号をモニタ２３に出力する。これにより、モニタ２３には、自室側映像や相手側映像が表示される。なお、第２通信端末２８の動作も、カラオケ本体２１からの制御信号によって制御される。
【００３９】
通信デュエットの実行時において、カラオケ本体２１、第１通信端末２７、及び第２通信端末２８は、相手側カラオケルームＲＭのカラオケ本体２１、第１通信端末２７、及び第２通信端末２８と通信可能に接続される。また、通信デュエットが行われていない期間において、カラオケ本体２１は、ホスト装置１と通信可能に接続される。このため、カラオケ本体２１、第１通信端末２７、及び第２通信端末２８は、何れもルーター装置ＲＴに接続されている。このルーター装置ＲＴにより、カラオケ本体２１は汎用伝送路４Ａに接続され、第１通信端末２７は第１専用伝送路４Ｂに接続され、第２通信端末２８は第２専用伝送路４Ｃに接続される。
【００４０】
汎用伝送路４Ａは、例えばインターネット回線や無線ＬＡＮ等の汎用性を有する伝送路であり、例えばブロードバンド回線が用いられる。この汎用伝送路４Ａは、各種の信号やデータを送受信する際に用いられる。また、第１専用伝送路４Ｂ及び第２専用伝送路４Ｃは、規定の通信速度が得られるように品質管理された専用回線である。これらの第１専用伝送路４Ｂ及び第２専用伝送路４Ｃは、通信デュエットの実行時にマイク信号や映像信号を送受信するために用いられる。
【００４１】
第１専用伝送路４Ｂは、次世代型のネットワークなど高品質な通信が可能な伝送路であり、マイク信号が送受信される。複数の第１通信端末２７のそれぞれには電話番号が割り当てられており、通話状態にすることで一対の第１通信端末２７が、ルーター装置ＲＴ及び第１専用伝送路４Ｂを介して通信可能に接続される。
【００４２】
ここで、第１通信端末２７の構成は、親側カラオケ装置２Ａと子側カラオケ装置２Ｂ〜２Ｄとで異なっている。図４（ａ）に示すように、親側カラオケ装置２Ａが有する第１通信端末２７は、接続可能な子側端末の台数分（図示の例では４台分）の数が備えられており、台数分の電話番号が割り当てられている。一方、図４（ｂ）に示すように、子側カラオケ装置２Ｂ〜２Ｄが有する第１通信端末２７は１台分であり、１つの電話番号が割り当てられている。
【００４３】
第２専用伝送路４Ｃは、テレビ電話用の伝送路４など第１専用伝送路４Ｂよりも多少品質の低い伝送路であり、映像信号が送受信される。各第２通信端末２８にも電話番号が割り当てられており、通話状態にすることで一対の第２通信端末２８が、ルーター装置ＲＴ及び第２専用伝送路４Ｃを介して通信可能に接続される。
【００４４】
第２通信端末２８についても、第１通信端末２７と同様に、親側カラオケ装置２Ａと子側カラオケ装置２Ｂ〜２Ｄとで構成が異なっている。すなわち、図５（ａ）及び（ｂ）に示すように、親側カラオケ装置２Ａは接続可能な台数分の第２通信端末２８を有しており、子側カラオケ装置２Ｂ〜２Ｄは１台の第２通信端末２８を有している。そして、それぞれの第２通信端末２８には、１つの電話番号が割り当てられている。
【００４５】
次に、カラオケ本体２１について詳細に説明する。図６に示すように、カラオケ本体２１は、本体側制御部３１と、本体側通信部３２と、本体側記憶部３３と、音源部３４と、音響処理部３５と、表示処理部３６と、映像入力部３７と、操作部３８とを有している。そして、これらの各部がバスＢＳを介して通信可能な状態に接続されている。
【００４６】
本体側制御部３１は、カラオケ本体２１における制御の中心となる部分であり、ＣＰＵ３１ａやメモリ３１ｂを有している。ＣＰＵ３１ａは、メモリ３１ｂに記憶された動作プログラムに従って各種の制御を実行する。例えば、操作部３８からの操作を受け付ける操作入力処理やシーケンサとして動作するシーケンサ処理を行う。メモリ３１ｂは、ＣＰＵ３１ａに実行されるプログラムを記憶したり、プログラムの実行時に各種情報を一時的に記憶したりする記憶素子である。
【００４７】
本体側通信部３２は、ルーター装置ＲＴを介してカラオケ本体２１を汎用伝送路４Ａに接続するためのインタフェースを提供する。このため、本体側通信部３２は、ルーター装置ＲＴとの間で情報の送受信を行う。そして、本体側通信部３２は、本体側制御部３１によって動作が制御される。
【００４８】
本体側記憶部３３は、各種のデータを記憶する大容量の記憶装置であり、例えばハードディスクドライブによって構成されている。この本体側記憶部３３には、例えば楽曲データ記憶領域、背景映像データ記憶領域、歌唱音声データ記憶領域、及び歌唱映像データ記憶領域が設けられる。
【００４９】
楽曲データ記憶領域には、リモコン装置２６で選択されたカラオケ楽曲を演奏するための楽曲データ（ＭＩＤＩデータ，歌詞データ）が楽曲ＩＤに対応付けられた状態で記憶され、背景映像データ記憶領域には、モニタ２３に背景映像を表示させるための背景映像データが楽曲ＩＤに対応付けられた状態で記憶される。歌唱音声データ記憶領域には、歌唱マイク２４からのマイク信号に基づく歌唱音声データが利用者ＩＤや楽曲ＩＤに対応付けられた状態で記憶され、歌唱映像データ記憶領域には、マイク付カメラ２５からの映像信号に基づく歌唱映像データが利用者ＩＤや楽曲ＩＤに対応付けられた状態で記憶される。
【００５０】
音源部３４は、ＭＩＤＩデータに基づいて演奏音信号を生成する部分であり、ＣＰＵ３４ａと、メモリ３４ｂと、波形メモリ３４ｃとを有している。ＣＰＵ３４ａは、メモリ３４ｂに記憶された動作プログラムに従って各種の制御を実行する。メモリ３４ｂは、ＣＰＵ３４ａに実行されるプログラムを記憶したり、プログラムの実行時に各種情報を一時的に記憶したりする記憶素子である。波形メモリ３４ｃは、対象楽器が奏でた様々な音の波形データを読み出し可能に記憶する記憶素子である。この音源部３４は、本体側制御部３１がシーケンサ処理を行うと、ＭＩＤＩデータに応じて波形データを加工し、加工後の楽音信号を音響処理部３５に出力する。
【００５１】
音響処理部３５は、カラオケ楽曲の演奏制御、歌唱マイク２４で生成されたマイク信号の処理、及び、第１通信端末２７を通じて入力されたマイク信号の処理を行う部分である。例えば、カラオケ楽曲の演奏制御において、音響処理部３５は、音源部３４から出力された楽音信号をアナログ変換し、演奏音信号として第１通信端末２７へ出力する。また、歌唱マイク２４からのマイク信号が入力されると、このマイク信号を第１通信端末２７へ出力したり、デジタルの歌唱音声データに変換して本体側記憶部３３の歌唱音声データ記憶領域に記憶させたりする。マイク信号を第１通信端末２７へ出力するに際し、音響処理部３５は、マイク信号にエコー成分を付加したり、マイク信号と演奏音信号を混合（ミキシング）して混合音信号を生成したりする。
【００５２】
表示処理部３６は、カラオケ演奏時における背景映像の表示等の制御を行う。カラオケ演奏時において、表示処理部３６には背景映像データが入力されており、この背景映像データのデコードが行われる。そして、表示処理部３６は、デコードで生成された背景映像の映像信号に歌詞テロップを合成し、合成後の映像信号をモニタ２３に出力する。その際、表示処理部３６は、本体側制御部３１でのシーケンサ処理で出力される歌詞データに基づき、歌詞テロップを合成する。また、シーケンサ処理で出力される色替え命令に従って、歌詞テロップの表示色を変更する。その結果、モニタ２３には、背景映像に歌詞テロップが重ねられた映像が表示され、かつ、カラオケ楽曲の進行にあわせて歌詞テロップの表示色が変更される。
【００５３】
映像入力部３７は、第２通信端末２８からの映像信号を取り込む部分であり、例えばインタフェース回路によって構成されている。通信デュエットが行われる期間において、第２通信端末２８からは、自室側及び相手側の映像信号が出力される。そして、映像入力部３７は、これらの映像信号に基づき映像合成等の処理を施して表示処理部３６へ出力する。これにより表示処理部３６は合成後の映像信号をモニタ２３に出力し、モニタ２３は合成後の映像を表示する。
【００５４】
操作部３８は、パネルスイッチやリモコン受信回路などからなっており、利用者によるパネルスイッチやリモコン装置２６の操作に応じた操作信号を本体側制御部３１に対して出力する。本体側制御部３１は、操作入力処理を行うことで操作信号を検出し、対応する処理を実行する。なお、パネルスイッチやリモコン装置２６は、操作を選択するための種々のキースイッチ（図示せず）を備えている。そして、リモコン装置２６を通じた操作により、通常のカラオケ歌唱や通信デュエットを選択して実行できる。
【００５５】
次に、上記構成を有する通信カラオケシステムの動作について説明する。このカラオケシステムは、通信デュエット実行時の動作に特徴を有している。このため、通信デュエット実行時の動作を中心に説明を行う。
【００５６】
図７は、通信デュエットを行う４台のカラオケ装置２（２Ａ〜２Ｄ）が伝送路４（４Ａ〜４Ｃ）を介して接続された状態、すなわち通信カラオケシステムを説明するブロック図である。前述したように、通信デュエットの実行時において、スーパーＶＩＰルーム（親側拠点）に設置されたカラオケ装置が親側カラオケ装置２Ａとなり、一般のカラオケルームＲＭ（子側拠点）に設置されたカラオケ装置が子側カラオケ装置２Ｂ〜２Ｄとなる。図７の例では、１台の親側カラオケ装置２Ａに対し、３台の子側カラオケ装置２Ｂ〜２Ｄが接続されている。すなわち、親側カラオケ装置２Ａは親側ルーター装置ＲＴＡを介して伝送路４に接続され、各子側カラオケ装置２Ｂ〜２Ｄは対応する子側ルーター装置ＲＴＢ〜ＲＴＤを介して伝送路４に接続されている。
【００５７】
なお、各子側カラオケ装置２Ｂ〜２Ｄに関して構成や動作は共通しているので、子側カラオケ装置２Ｂを中心に説明をし、他の子側カラオケ装置２Ｃ，２Ｄについては必要に応じて説明をする。また、以後の説明において、親側カラオケ装置２Ａが有する各部には「親側」の語を付して示し、子側カラオケ装置２Ｂ〜２Ｄが有する各部には「子側」の語を付して示す。
【００５８】
親側カラオケ装置２Ａの第１通信端末２７及び第２通信端末２８から各子側カラオケ装置２Ｂ〜２Ｄの第１通信端末２７及び第２通信端末２８へ発呼して通話状態になると、第１専用伝送路４Ｂ及び第２専用伝送路４Ｃを介してマイク信号や映像信号の送受信が可能になる。ここで、通信デュエット時における各種信号の流れを、図８に示す親側カラオケ装置２Ａと子側カラオケ装置２Ｂの組で説明する。なお、他の子側カラオケ装置２Ｃ，２Ｄも子側カラオケ装置２Ｂと同様であることから、説明は省略する。
【００５９】
この場合、図９に示すように、親側歌唱マイク２４Ａで生成された親側マイク信号が、親側カラオケ本体２１Ａに入力される。親側カラオケ本体２１Ａでは、シーケンサ処理でカラオケ楽曲の演奏音信号が生成され、親側マイク信号と混合される。混合後の信号は、カラオケ演奏音と親側歌唱音を時間軸をずらすことなく信号化したものになる。混合後の親側マイク信号及び演奏音信号は、親側第１通信端末２７Ａに出力される。親側第１通信端末２７Ａ（親側信号送信手段）は親側マイク信号及び演奏音信号を、子側カラオケ装置２Ｂが備える子側第１通信端末２７Ｂに送信する。
【００６０】
一方、子側歌唱マイク２４Ｂで生成された子側マイク信号は、子側カラオケ本体２１Ｂに入力される。子側カラオケ本体２１Ｂは、子側歌唱マイク２４Ｂで生成された子側マイク信号を、子側第１通信端末２７Ｂに出力する。子側第１通信端末２７Ｂは、親側マイク信号及び演奏音信号を受信し、子側マイク信号と混合する。そして、混合後の親側マイク信号、演奏音信号、及び子側マイク信号を、子側パワーアンプ２９Ｂに出力する。子側パワーアンプ２９Ｂは、混合音信号と子側マイク信号を増幅し、子側スピーカ２２Ｂに出力する。
【００６１】
その結果、子側スピーカ２２Ｂからは、カラオケ演奏音、親側マイク音（親側歌唱音）、及び子側マイク音（子側歌唱音）が放音される。この場合、一般カラオケルームＲＭで放音されるのは、親側歌唱音とこのカラオケルームＲＭの子側歌唱音とカラオケ演奏音である。すなわち、他のカラオケルームＲＭの歌唱音については放音されない。このため、当該カラオケルームＲＭの歌唱者は、他の一般カラオケルームＲＭの歌唱音に惑わされず、デュエット歌唱を楽しむことができる。
【００６２】
なお、以上の説明から判るように、子側カラオケ装置２Ｂ（詳しくは子側カラオケ本体２１Ｂ、子側第１通信端末２７Ｂ、子側パワーアンプ２９Ｂ、及び子側スピーカ２２Ｂの組）は、子側再生手段に相当する。
【００６３】
また、子側第１通信端末２７Ｂ（子側信号送信手段）は、子側マイク信号を親側第１通信端末２７Ａに送信する。なお、他の子側カラオケ装置２Ｃ，２Ｄが有する子側第１通信端末２７も同様に、子側マイク信号を親側第１通信端末２７Ａに送信する。親側第１通信端末２７Ａは、受信した各子側マイク信号の入力バランスを、親側カラオケ本体２１Ａからの制御信号に従って調整し、親側パワーアンプ２９Ａに出力する。そして、親側パワーアンプ２９Ａは、親側マイク信号、演奏音信号、子側マイク信号を増幅し、親側スピーカ２２Ａに出力する。その結果、親側スピーカ２２Ａからは、カラオケ演奏音、親側マイク音、及び子側マイク音が放音される。
【００６４】
ここで、子側マイク音については、親側カラオケ本体２１Ａからの制御信号に基づき、音量バランスが調整された状態（音量について優劣を付けた状態）で放音される。これにより、特定の子側歌唱音が聞き取り易くなり、デュエット歌唱が容易に行えるようになる。なお、具体的な制御については、後で説明する。
【００６５】
そして、以上の説明から判るように、親側カラオケ装置２Ａ（詳しくは親側カラオケ本体２１Ａ、親側第１通信端末２７Ａ、親側パワーアンプ２９Ａ、及び親側スピーカ２２Ａの組）は、親側再生手段に相当する。
【００６６】
次に、映像信号について説明する。親側マイク付カメラ２５Ａで生成された親側映像信号は、親側第２通信端末２８Ａに入力される。同様に、子側マイク付カメラ２５Ｂ等で生成された子側映像信号は、それぞれの子側第２通信端末２８Ｂ等に入力される。そして、親側第２通信端末２８Ａは、親側映像信号を各子側第２通信端末２８Ｂ等へ送信し、各子側第２通信端末２８Ｂ等は、子側映像信号を親側第２通信端末２８Ａへ送信する。さらに、親側第２通信端末２８Ａは、親側映像信号及び各子側映像信号を親側カラオケ本体２１Ａに出力し、各子側第２通信端末２８Ｂ等は、親側映像信号及び自身の子側映像信号を子側カラオケ本体２１Ｂ等へ出力する。
【００６７】
親側カラオケ本体２１Ａは、各子側映像信号を１画面分の映像信号に合成するとともに歌詞テロップを合成し、親側モニタ２３Ａに出力する。これにより、親側モニタ２３Ａには、各一般カラオケルームＲＭで歌唱する子側歌唱者の映像が表示される。一方、各子側カラオケ本体２１Ｂ等は、親側映像信号と自身の子側映像信号を１画面分の映像信号に合成するとともに歌詞テロップを合成し、各子側モニタ２３Ｂ等に出力する。これにより、各子側モニタ２３Ｂ等には、親側歌唱者の映像と自身の映像とが表示される。その結果、スーパーＶＩＰルームと各一般カラオケルームＲＭとの間で通信デュエットを実現することができる。
【００６８】
次に、図１０のフローチャートを参照し、通信デュエットを行う際の処理の流れについて説明する。このフローチャートにおいて、ステップＳ１１〜Ｓ２０が親側カラオケ装置２Ａの処理であり、ステップＳ３１〜Ｓ４０が子側カラオケ装置２Ｂ〜２Ｄの処理であり、ステップＳ５１〜Ｓ５５がホスト装置１の処理である。なお、各子側カラオケ装置２Ｂ〜２Ｄは同等であることからまとめて説明する。
【００６９】
この通信カラオケシステムでは、まず、スーパーＶＩＰルームの利用者や一般カラオケルームＲＭの利用者が、親側カラオケ装置２Ａや子側カラオケ装置２Ｂ〜２Ｄを通じてログインする（Ｓ１１，Ｓ３１）。これにより、各利用者を識別する利用者ＩＤや各カラオケ装置２Ａ〜２Ｄを識別する装置ＩＤがホスト装置１に送信される。ホスト装置１は、利用者ＩＤや装置ＩＤを受信し、互いに対応付けた状態で記憶する（Ｓ５１）。
【００７０】
親側カラオケ装置２Ａや子側カラオケ装置２Ｂ〜２Ｄは、通信デュエットが選択された否かを監視しており（Ｓ１２，Ｓ３２）、選択された場合には通信デュエットの対象曲を示す楽曲ＩＤ、利用者ＩＤ、及び装置ＩＤをホスト装置１に送信する（Ｓ１３，Ｓ３３）。ホスト装置１は、楽曲ＩＤ等を受信すると（Ｓ５２）、楽曲ＩＤ、利用者ＩＤ、及び装置ＩＤに基づいて、デュエット歌唱を行う利用者、カラオケ装置２Ａ〜２Ｄ、及びカラオケ楽曲を認識し、共通のデュエットＧｒＩＤを設定する（Ｓ５３）。
【００７１】
通信デュエットの選択に伴い、第１専用伝送路４Ｂ及び第２専用伝送路４Ｃを介して親側カラオケ装置２Ａと各子側カラオケ装置２Ｂ〜２Ｄが通信可能に接続される（Ｓ１４，Ｓ３４）。例えば、親側第１通信端末２７Ａから発呼し、子側第１通信端末２７Ｂ等で着呼及びオフフックすることで第１専用伝送路４Ｂが接続される。同様に、親側第２通信端末２８Ａから発呼し、子側第２通信端末２８Ｂ等で着呼及びオフフックすることで第２専用伝送路４Ｃが接続される。なお、各子側カラオケ装置２Ｂ〜２Ｄから親側カラオケ装置２Ａへ発呼して接続してもよい。
【００７２】
各専用伝送路４Ｂ，４Ｃが接続されたならば、音・映像調整処理（Ｓ１５，Ｓ３５）が行われる。この処理では、例えば、利用者によって自室側と相手側のマイク音量が調整されたり、エコー調整が行われたりする。また、カメラの角度や室内の明るさ等も調整される。
【００７３】
音・映像調整処理が終了すると、通信デュエットの準備が整ったとして、親側カラオケ装置２Ａから開始信号が送信され（Ｓ１６）、各子側カラオケ装置２Ｂ〜２Ｄは開始信号を受信する（Ｓ３６）。そして、親側カラオケ装置２Ａからは、混合した親側マイク信号及び演奏信号を各子側カラオケ装置２Ｂ〜２Ｄに送信し、受信した各子側カラオケ装置２Ｂ〜２Ｄは、子側マイク信号を親側カラオケ装置２Ａに送信することにより、デュエット歌唱が開始される（Ｓ１７，Ｓ３７）。デュエット歌唱の期間中、スーパーＶＩＰルームでは、親側カラオケ本体２１Ａによるデュエット相手の選択処理が行われる（Ｓ１８）。一方、一般カラオケルームＲＭでは、前述したように、親側歌唱音、当該カラオケルームＲＭの子側歌唱音、及びカラオケ演奏音によるデュエット歌唱が行われる（Ｓ３８）。
【００７４】
なお、デュエット歌唱の期間中、各カラオケ装置２Ａ〜２Ｄは、各カラオケルームＲＭのマイク信号を変換して歌唱音声データを生成し、本体側記憶部３３の歌唱音声データ記憶領域に順次記憶させる。同様に、各カラオケルームＲＭの映像信号を変換して歌唱映像データを生成し、本体側記憶部３３の歌唱映像データ記憶領域に順次記憶させる。
【００７５】
ここで、スーパーＶＩＰルームにおけるデュエット相手の選択について説明する。デュエット歌唱の期間中、親側カラオケ装置２Ａには、各子側カラオケ装置２Ｂ〜２Ｄからの子側マイク信号が入力されている。ここで、各子側マイク信号を同等の音量で混合して再生させると、各一般カラオケルームＲＭの伝送遅延の違いや歌唱者毎の歌い方の違い等によって、ずれた状態で音が混ざり、歌唱がし難く興趣が損なわれてしまうおそれがある。
【００７６】
そこで、このシステムでは、スーパーＶＩＰルームにおいて、各子側マイク信号を適宜切り替えながら選択し、選択した子側マイク信号のみを再生したり、選択した子側マイク信号以外の再生音量を、選択した子側マイク信号の再生音量よりも十分に小さくしたりしている。前述したように、親側カラオケ装置２Ａは複数の親側第１通信端末２７Ａを有しており、そのそれぞれが親側カラオケ本体２１Ａからの制御信号によって制御可能である。例えば、選択した子側マイク信号のみを再生する場合、選択した子側マイク信号のみを親側カラオケ本体２１Ａに取り込み、他の子側マイク信号については取り込まない処理を行う。
【００７７】
図１１（ａ）に示す例では、子側カラオケ装置２Ｂから送信された子側マイク信号が親側カラオケ本体２１Ａに取り込まれ、他の子側カラオケ装置２Ｃ，２Ｄからの子側マイク信号については取り込まれない。このため、スーパーＶＩＰルームでは、子側カラオケ装置２Ｂの歌唱者と通信デュエットが行われる。ここで、各子側カラオケ装置２Ｂ〜２Ｄには、親側マイク信号や演奏音信号が送信されている。このため、各子側カラオケ装置２Ｂ〜２Ｄが設置された一般カラオケルームＲＭでは、親側拠点の歌唱者と通信デュエットが行われる。
【００７８】
同様に、図１１（ｂ）に示す例では、スーパーＶＩＰルームにて子側カラオケ装置２Ｃの歌唱者と通信デュエットが行われ、図１１（ｃ）に示す例では、スーパーＶＩＰルームにて子側カラオケ装置２Ｄの歌唱者と通信デュエットが行われる。
【００７９】
この例において、スーパーＶＩＰルームの歌唱者は、選択した一般カラオケルームＲＭの歌唱者のみと通信デュエットを行うので、子側歌唱音が聞き取り易くなり、通信デュエットを気分良く行うことができる。
【００８０】
なお、図１１の例では、選択した子側マイク信号のみを親側カラオケ本体２１Ａに取り込む場合を例に挙げたが、全ての子側マイク信号を親側カラオケ本体２１Ａに取り込み、選択した子側マイク信号以外の子側マイク信号を、選択した子側マイク信号よりも十分小さな音量で再生してもよい。このように構成すると、選択した子側歌唱者の歌唱音が、他の子側歌唱者の歌唱音に比べて相対的に大きな音量で再生される。すなわち、小さな音量ではあるが他の一般カラオケルームＲＭの歌唱音も再生されるので、他の子側歌唱者とも合唱できるし、立体感のある斉唱を行うこともできる。
【００８１】
次に、スーパーＶＩＰルームでのデュエット相手の切り替え処理について説明する。図１２に示すように、このシステムでは、或るカラオケ楽曲を構成する複数の区間毎に、各カラオケルームＲＭでなされた歌唱の巧拙が、カラオケ本体２１（親側採点手段，子側採点手段）で採点される。そこで、親側カラオケ装置２Ａ（親側再生手段）は、直前区間の採点結果に基づいて当該区間のデュエット相手を選択し、選択相手の子側マイク信号を他の子側マイク信号に優先して再生させている。
【００８２】
例えば、区間ＰＴ２のデュエット相手は、直前の区間ＰＴ１で最高点を取得した子側カラオケ装置２Ｄの歌唱者が選択され、区間ＰＴ３のデュエット相手は、直前の区間ＰＴ２で最高点を取得した子側カラオケ装置２Ｃの歌唱者となる。このため、各一般カラオケルームＲＭの子側カラオケ本体２１は、当該カラオケルームＲＭでなされた歌唱の巧拙を、１つのカラオケ楽曲を構成する複数の区間毎に採点する。また、子側カラオケ本体２１（子側採点結果送信手段）は、或る区間の採点が終了する毎に、当該区間の採点結果を親側カラオケ装置２Ａへ送信する。
【００８３】
なお、最初の区間ＰＴ１では採点結果が得られていない。そこで、この区間ＰＴ１ではザッピングを行っている。すなわち、所定時間間隔で切り替えながら歌唱者を選択している。
【００８４】
このような制御を行うと、ザッピングによって区間ＰＴ１では、親側歌唱者は各子側歌唱者と順番に通信デュエットを行える。その後の区間ＰＴ２以降は、採点結果のよい歌唱者と通信デュエットを行える。すなわち、親側歌唱者は、序盤において多くの子側歌唱者と通信デュエットを行え、それ以降は、歌唱の巧みな子側歌唱者と通信デュエットを行える。一方、子側歌唱者に対しては、採点結果が高いほど親側歌唱者にアピールできることから、上手く歌おうというインセンティブを与えることができる。
【００８５】
以上は、自動でデュエット相手を選択する例について説明したが、スーパーＶＩＰルームの歌唱者（親側歌唱者）にデュエット相手を選択させてもよい。図１３（ａ）に示す例では、親側モニタ２３Ａが４つの表示領域２３ａ〜２３ｄに分割されており、その中の表示領域２３ａ〜２３ｃに３人の歌唱者（子側歌唱者）の映像が表示されている。そして、親側リモコン装置２６Ａの操作によって表示領域２３ａの歌唱者が選択されている。これに伴い、図１３（ｂ）に示すように、選択された子側歌唱者が利用する子側モニタ２３には、親側歌唱者の映像と当該子側歌唱者の映像とが表示領域２３ｅ，２３ｆに表示され、さらに親側歌唱者が選択中であることを示すメッセージが表示領域２３ｇに表示されている。
【００８６】
この処理は、図１１（ａ）〜（ｃ）に示すように、親側カラオケ装置２Ａ（選択中信号送信手段）が、選択中であることを示す選択中信号を、選択対象の一般カラオケルームＲＭ（子側カラオケ装置２Ｂ〜２Ｄの何れか）に送信すること、及び、選択中信号を受信した子側カラオケ装置２Ｂ〜２Ｄ（子側報知手段）が、この選択中信号に基づいてメッセージを生成し、子側モニタ２３Ｂ等に表示させることで実現される。
【００８７】
図１０に戻り、デュエット歌唱が終了すると（Ｓ１９，Ｓ３９）、各カラオケ装置２Ａ〜２Ｄは、デュエット歌唱中に生成した歌唱音声データ及び歌唱映像データを、採点データと共にホスト装置１へ送信する（Ｓ２０，Ｓ４０）。ホスト装置１は、各データを受信し（Ｓ５４）、ホスト側記憶領域の対応する記憶領域に、デュエットＧｒＩＤに関連付けて記憶させる。
【００８８】
次に、ホスト装置１（動画データ生成手段）は、受信した歌唱音声データ及び歌唱映像データに基づいて、デュエット歌唱の閲覧用動画データ（デュエット動画データ）を生成する（Ｓ５５）。本実施形態では、スーパーＶＩＰルームで取得された親側動画データ（歌唱音声データ及び歌唱映像データの組）に対し、複数の一般カラオケルームＲＭのそれぞれで取得された複数の子側動画データ（歌唱音声データ及び歌唱映像データの組）を選択して合成することで、閲覧用動画データを生成している。例えば、ホスト装置１は、子側動画データに対する区間毎の採点結果に基づき、最も採点結果のよい区間の子側動画データを区間毎に選択し、親側動画データに合成する。生成された閲覧用動画データは、ホスト装置１によって、ユーザー端末３から視聴可能に公開される。
【００８９】
以上説明したように、このシステムでは、子側カラオケ装置２Ｂ〜２ＤがスーパーＶＩＰルームの歌唱音（親側マイク音）を再生し、他の一般カラオケルームＲＭからの歌唱音を再生しない。これにより、スーパーＶＩＰルームの歌唱者とのデュエットを気分よく行わせることができる。また、親側カラオケ装置２Ａは、受信した各一般カラオケルームＲＭの歌唱音の中から切り替え可能に１つを選択して再生する。例えば、選択した一般カラオケルームＲＭの歌唱音のみを再生したり、他の一般カラオケルームＲＭの歌唱音を十分小さな音量で再生したりする。これにより、選択した子側歌唱音が聞き取り易くなり、スーパーＶＩＰルームでのデュエット歌唱が容易になる。
【００９０】
また、このシステムでは、親側カラオケ装置２Ａから複数の子側カラオケ装置２Ｂ〜２Ｄへ、演奏音信号と親側マイク信号の混合信号を送信し、子側カラオケ装置２Ｂ〜２Ｄでは、演奏音信号と親側マイク信号を再生している。これにより、一般カラオケルームＲＭでは、時間軸の揃った親側拠点でのカラオケ演奏音及び親側歌唱音にあわせてデュエット歌唱が行える。
【００９１】
また、このシステムでは、一般カラオケルームＲＭでなされた歌唱の巧拙を、１つのカラオケ楽曲を構成する複数の区間毎に採点している。そして、採点結果に基づき、親側拠点で再生されるか否かが定められている。これにより、上手く歌おうというインセンティブを一般カラオケルームＲＭの歌唱者に対して与えることができる。さらに、一般カラオケルームＲＭでは、スーパーＶＩＰルームで選択中であることを報知しているので、このインセンティブをより強く与えることができる。
【００９２】
また、このシステムでは、スーパーＶＩＰルームで取得された親側動画データに対し、複数の一般カラオケルームＲＭのそれぞれで取得された複数の子側動画データを選択して合成することで、デュエット動画データを生成している。これにより、スーパーＶＩＰルームの歌唱映像や歌唱音声に対して、一般カラオケルームＲＭの歌唱映像や歌唱音声を切り替えたデュエット動画データが生成される。その結果、興趣を高めたデュエット動画データを生成できる。さらに、子側動画データは、区間毎の採点結果に応じて選択及び合成されるので、各一般カラオケルームＲＭの歌唱者に対し、歌唱力向上のインセンティブを与えることができる。
【００９３】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００９４】
まず、スーパーＶＩＰルームと一般カラオケルームＲＭとの通信に関し、親側マイク信号のみをスーパーＶＩＰルームから一般カラオケルームＲＭへ送信し、子側カラオケ装置２Ｂ〜２Ｄの音源を用いてカラオケ歌唱を行ってもよい。
【００９５】
また、前述の実施形態では、親側マイク信号と演奏音信号とを親側カラオケ装置２Ａで混合し、子側カラオケ装置２Ｂ〜２Ｄへ送信しているが、この構成に限定されない。例えば、親側マイク信号と演奏音信号とを個別に子側カラオケ装置２Ｂ〜２Ｄへ送信し、これらの信号を子側カラオケ装置２Ｂ〜２Ｄで混合してもよい。
【００９６】
また、スーパーＶＩＰルームでの子側歌唱者の選択に関し、親側歌唱者の採点結果に最も近い子側歌唱者を、区間毎に選択するようにしてもよい。加えて、カラオケ歌唱の全期間に亘ってザッピングを行ってもよい。
【００９７】
また、閲覧用動画データの生成に関し、区間採点結果を用いずに、各子側動画データを順番に選択して合成するようにしてもよい。また、採点結果を用いる場合、子側カラオケ装置２Ｂ〜２Ｄでの採点結果を用いず、閲覧用動画データ生成時に採点を行ってもよい。また、区間毎に採点結果の最も近い子側動画データを選択してもよい。さらに、閲覧用動画データを、カラオケ装置２（２Ａ〜２Ｄ）で生成してもよい。
【符号の説明】
【００９８】
１…ホスト装置，２…カラオケ装置，２Ａ…親側カラオケ装置，２Ｂ〜２Ｄ…子側カラオケ装置，３…ユーザー端末，３Ａ…パーソナルコンピュータ，３Ｂ…タブレットコンピュータ，３Ｃ…携帯電話機，４…伝送路，４Ａ…汎用伝送路，４Ｂ…第１専用伝送路，４Ｃ…第２専用伝送路，１１…ホスト側制御部，１２…ホスト側通信部，１３…ホスト側記憶部，２１…カラオケ本体，２１Ａ…親側カラオケ本体，２１Ｂ…子側カラオケ本体，２２…スピーカ，２２Ａ…親側スピーカ，２２Ｂ…子側スピーカ，２３…モニタ，２３Ａ…親側モニタ，２３Ｂ…子側モニタ，２４…歌唱マイク，２４Ａ…親側歌唱マイク，２４Ｂ…子側歌唱マイク，２５…マイク付カメラ，２５Ａ…親側マイク付カメラ，２５Ｂ…子側マイク付カメラ，２６…リモコン装置，２６Ａ…親側リモコン装置，２７…第１通信端末，２７Ａ…親側第１通信端末，２７Ｂ…子側第１通信端末，２８…第２通信端末，２８Ａ…親側第２通信端末，２８Ｂ…子側第２通信端末，２９…パワーアンプ，２９Ａ…親側パワーアンプ，２９Ｂ…子側パワーアンプ，３１…本体側制御部，３２…本体側通信部，３３…本体側記憶部，３４…音源部，３５…音響処理部，３６…表示処理部，３７…映像入力部，３８…操作部，ＫＢ…カラオケ店，ＲＭ…カラオケルーム，ＲＴ…ルーター装置，ＲＴＡ…親側ルーター装置，ＲＴＢ〜ＲＴＤ…子側ルーター装置，ＢＳ…バス
【図１】
2015011155.tif 000003
【図２】
2015011155.tif 000004
【図３】
2015011155.tif 000005
【図４】
2015011155.tif 000006
【図５】
2015011155.tif 000007
【図６】
2015011155.tif 000008
【図７】
2015011155.tif 000009
【図８】
2015011155.tif 000010
【図９】
2015011155.tif 000011
【図１０】
2015011155.tif 000012
【図１１】
2015011155.tif 000013
【図１２】
2015011155.tif 000014
【図１３】
2015011155.tif 000015